(57)【要約】【課題】消臭用、ヌメリ除去用あるいは芳香用の薬剤を裏側に設けた新規な蓋を提供すること。【解決手段】流しの排水口２の上部２ａに設けられ、流しの排水の排水流路ｊを有する蓋３０において、消臭用、芳香用あるいはヌメリ除去用の薬剤Ｑを裏側に設けてある。【選択図】　　　　　図７
2004052292.tif 000002
【特許請求の範囲】
【請求項１】
流しの排水口の上部に設けられ、流しの排水の排水流路を有する蓋において、消臭用、芳香用あるいはヌメリ除去用の薬剤を裏側に設けてあることを特徴とする蓋。
【請求項２】
流しの排水口の上部に設けられる菊割れフタに対し着脱自在に設置され、消臭用、芳香用あるいはヌメリ除去用の薬剤を収容する蓋であって、把手を表面側に有し、下方開口を裏面側に有する蓋本体と、前記下方開口を覆う底蓋とを備え、前記蓋本体は、前記下方開口を前記底蓋で覆ったときに、前記底蓋とで形成される前記薬剤の収容空間を有するとともに、この収容空間に流しの排水を流入させるための流入孔を有する一方、前記底蓋は、前記収容空間に前記流入孔を通って前記収容空間に流入した流しの排水が前記収容空間から流出するための流出孔を有することを特徴とする蓋。
【請求項３】
流しの排水口の上部に設けられ、流しの排水の排水流路を有し、かつ、消臭用、芳香用あるいはヌメリ除去用の薬剤を裏側に設けてある蓋であって、平坦な環状の上面部を有し、この上面部の外周側から垂下した垂下面部を有し、前記上面部の内周側から内側に傾斜した傾斜面部を有し、更に、この傾斜面部の内周縁によって形成される開口を有する環状板体と、前記内周縁の複数領域から上方へ、かつ、前記上面部と略面一な高さになるまで連設される複数の立上り面部を介して前記開口の直上に前記排水流路の排水空間を形成するよう、前記上面部と略面一な状態で位置する平板状の把手と、この把手の裏面の中央部に着脱自在に装着され、前記把手とで前記薬剤の収容空間を形成する容器体とを備え、前記把手は、前記収容空間に流しの排水を流入させるための流入孔を有する一方、前記容器体は、前記流入孔を通って前記収容空間に流入した流しの排水が前記収容空間から流出するための流出孔を有することを特徴とする蓋。
【発明の詳細な説明】
【０００１】
【発明の属する技術分野】
この発明は、流しの排水口で用いられる蓋に関するものである。
【０００２】
【従来の技術および発明が解決しようとする課題】
従来この種の蓋は、流しの排水口の上部に設けた菊割れフタに嵌めて菊割れフタに形成されている複数の排水孔等を塞ぎ、流しのシンクに水、湯または混合水を溜めるときに使用されたり、流しの排水口の菊割れフタ直下に設置されるゴミ受けカゴに付着している生ゴミや、菊割れフタに付着している生ゴミ、あるいは、下水からの異臭が外部に漏れないようにするために使用されており、単独で、あるいは、菊割れフタとセットで販売されている。
【０００３】
【発明が解決しようとする課題】
ところで、前記異臭を消すために市販の消臭剤が使用されているが、これを前記ゴミ受けカゴ等に設置する必要があった。また、ヌメリ除去用の薬剤を菊割れフタに設置するタイプのものが市販されているが、蓋に設置するものはなかった。
【０００４】
この発明は、消臭用、ヌメリ除去用あるいは芳香用の薬剤を裏側に設けた新規な蓋を提供することを目的とする。
【０００５】
【課題を解決するための手段】
上記目的を達成するために、この発明の蓋は、流しの排水口の上部に設けられ、流しの排水の排水流路を有する蓋において、消臭用、芳香用あるいはヌメリ除去用の薬剤を裏側に設けてある。
【０００６】
また、この発明は別の観点から、流しの排水口の上部に設けられる菊割れフタに対し着脱自在に設置され、消臭用、芳香用あるいはヌメリ除去用の薬剤を収容する蓋であって、把手を表面側に有し、下方開口を裏面側に有する蓋本体と、前記下方開口を覆う底蓋とを備え、前記蓋本体は、前記下方開口を前記底蓋で覆ったときに、前記底蓋とで形成される前記薬剤の収容空間を有するとともに、この収容空間に流しの排水を流入させるための流入孔を有する一方、前記底蓋は、前記収容空間に前記流入孔を通って前記収容空間に流入した流しの排水が前記収容空間から流出するための流出孔を有することを特徴とする蓋を提供する。
【０００７】
また、この発明は更に別の観点から、流しの排水口の上部に設けられ、流しの排水の排水流路を有し、かつ、消臭用、芳香用あるいはヌメリ除去用の薬剤を裏側に設けてある蓋であって、平坦な環状の上面部を有し、この上面部の外周側から垂下した垂下面部を有し、前記上面部の内周側から内側に傾斜した傾斜面部を有し、更に、この傾斜面部の内周縁によって形成される開口を有する環状板体と、前記内周縁の複数領域から上方へ、かつ、前記上面部と略面一な高さになるまで連設される複数の立上り面部を介して前記開口の直上に前記排水流路の排水空間を形成するよう、前記上面部と略面一な状態で位置する平板状の把手と、この把手の裏面の中央部に着脱自在に装着され、前記把手とで前記薬剤の収容空間を形成する容器体とを備え、前記把手は、前記収容空間に流しの排水を流入させるための流入孔を有する一方、前記容器体は、前記流入孔を通って前記収容空間に流入した流しの排水が前記収容空間から流出するための流出孔を有することを特徴とする蓋を提供する。
【０００８】
この発明において、消臭用、芳香用あるいはヌメリ除去用の薬剤とは、消臭用、芳香用あるいはヌメリ除去用のいずれか一以上の効能を有する薬剤を意味する。
【０００９】
【発明の実施の形態】
以下にこの発明の実施の形態について説明する。なお、この発明はそれによって限定されるものではない。
【００１０】
図１〜図４は、流しの排水の排水流路を有し、生ゴミや下水からの異臭を消す消臭用の薬剤を裏側に設けてあり、菊割れフタに対し着脱自在に設置されるこの発明の第１の実施形態を示す。
【００１１】
図４において、１は、流しのシンクＡに設けられている排水口２の上部２ａにはめ込まれて使用される菊割れフタで、流しの排水口２の菊割れフタ直下にゴミ受けカゴＢが設置されている。
【００１２】
菊割れフタ１は、平面視円形の上方開口３ａを形成する内周面ｉを有する環状枠部３と、平面視円形の底部４とより主としてなる。底部４は、環状枠部３の内周面ｉから連設された複数の菊割れ舌片５で構成される。
【００１３】
前記環状枠部３は、径方向内側に突出した状態で形成された環状突条部６を内周面ｉに有する。前記底部４は、中心部分に丸孔７を有するとともに、ゴミ受けカゴＢに連通する複数の排水用長孔８を、丸孔７から離れた内周面ｉの側に円周方向に沿った状態で有する。前記排水用長孔８は、円周方向よりも径方向に長い。
【００１４】
以下、この発明の特徴的構成について説明する。
【００１５】
図１〜図４において、１０は、菊割れフタ１の前記環状枠部３の内周面ｉによって形成される上方開口３ａを覆うよう菊割れフタ１の底部４上に着脱自在に設置される蓋である。蓋１０の裏側には、生ゴミや下水からの異臭を消す消臭用の薬剤Ｐが設けられている。
【００１６】
前記蓋１０は、菊割れフタ１に対し着脱自在に設置されるもので、縦断面凸状の把手１１を表面側に有し、下方開口１２を裏面側に有する蓋本体１３と、前記下方開口１２を覆う底蓋１４とを備えている。前記蓋本体１３は、前記下方開口１２を前記底蓋１４で覆ったときに、前記底蓋１４とで形成される消臭用の薬剤Ｐの収容空間１５，１６を有するとともに、この収容空間１５，１６に流しの排水を流入させるための複数の流入孔１７を有する一方、前記底蓋１４は、前記収容空間１５，１６に前記流入孔１７を通って前記収容空間１５，１６に流入した流しの排水が前記収容空間１５，１６から流出するための複数の流出孔１８を有する。そして、流入孔１７と収容空間１５，１６と流出孔１８と菊割れフタ１の排水用長孔８とで流しの排水の排水流路が形成される。前記流出孔１８は、蓋１０を菊割れフタ１に設置したとき菊割れフタ１に設けた排水用長孔８に連通する位置に設けられている。
【００１７】
更に、前記蓋本体１３は、平面視円形の蓋天板２０と、消臭用の薬剤Ｐが収容される縦断面略Ｌ字型で環状の垂下板２１とで構成される。
【００１８】
前記蓋天板２０は、中央に前記把手１１を有し、この把手１１を挟むよう対称な形で対向配置された一対の凹所２２，２２を有する。各凹所２０は、蓋天板２０の幅Ｆを有する外周縁２３から把手１１の側にかけて下方に湾曲する湾曲面部２４によって形成されている。
【００１９】
垂下板２１は、外周縁２３から垂下して連設された環状の周面部２５と、この周面部２５の下端から内側直角方向に所定長さだけ延設され円周方向に沿った形で環状に形成してある環状係止部２６とを有する。前記下方開口１２ａは、環状係止部２６によって形成される。
【００２０】
また、前記底蓋１４は、上面ｍに複数の係止脚２７を有し、各係止脚２７は、環状係止部２６に係合する係合爪２８を先端に有する。
【００２１】
而して、生ゴミや下水からの異臭を消す消臭作用と殺菌作用を有する薬剤Ｐが収容されている蓋１０を菊割れフタ１にはめ込むだけで、消臭剤をゴミ受けカゴＢ等に設置する手間を省くことができる。
【００２２】
そして、流しの排水は、流入孔１７から収容空間１５，１６を経て流出孔１８から排水されるときに前記薬剤Ｐが溶解し、排水と共に溶解した薬剤Ｐが菊割れフタ１の底部４に設けた排水用長孔８を経てゴミ受けカゴＢを通り、排水口２から配管を介して下水に流れるとともに、菊割れ舌片５上に排水の一部が滞留することから、ゴミ受けカゴＢおよび／または菊割れフタ１に付着している生ゴミ、あるいは、下水からの異臭を消すことができる。また、ゴミ受けカゴＢと菊割れフタ１の殺菌も行える。
【００２３】
図５、図６は、流しの排水の排水流路を有し、生ゴミや下水からの異臭を消す消臭作用と殺菌作用を有する薬剤Ｐと、芳香用の薬剤Ｐ’とを裏側に設けてあり、菊割れフタに対し着脱自在に設置されるこの発明の第２の実施形態を示す。なお、図５、図６において、図１〜図４に示す符号と同一のものは同一または相当物である。また、この実施形態では、図４で示したように上記実施形態で用いたのと同一形状の菊割れフタ１を採用している。
【００２４】
この場合、一方の収容空間１５に芳香用の薬剤Ｐ’を収容し、他方の収容空間１６に消臭作用と殺菌作用を有する薬剤Ｐを収容してある。そして、排水と共に溶解した消臭作用と殺菌作用を有する薬剤Ｐが菊割れフタ１（図４参照）の底部４に設けた排水用長孔８を経てゴミ受けカゴＢを通り、排水口２から配管を介して下水に流れることから、ゴミ受けカゴＢおよび／または菊割れフタ１に付着している生ゴミ、あるいは、下水からの異臭を消すことができるとともにゴミ受けカゴＢと菊割れフタ１の殺菌も行え、更に、排水と共に溶解した芳香用の薬剤Ｐ’からの芳香が流入孔１７を介して流しのシンクＡ（図４参照）に醸し出される。
【００２５】
なお、この発明では、生ゴミや下水からの異臭を消す消臭作用と殺菌作用を有する薬剤Ｐ、芳香用の薬剤Ｐ’の他に、ヌメリ除去作用および／または殺菌作用を有するヌメリ除去用の薬剤Ｐ’’だけを収容空間１５，１６に収容したり、あるいは、収容空間１５，１６の一方にヌメリ除去用の薬剤Ｐ’’を、他方に消臭作用と殺菌作用を有する薬剤Ｐを収容したり、また、収容空間１５，１６の一方にヌメリ除去用の薬剤Ｐ’’を、他方に芳香用の薬剤Ｐ’を収容できる。
【００２６】
そして、ヌメリ除去用の薬剤Ｐ’’を収容空間１５，１６に収容した場合は、流しの排水は、流入孔１７から収容空間１５，１６を経て流出孔１８から排水されるときに薬剤Ｐ’’が溶解し、排水と共に溶解した薬剤Ｐ’’が菊割れフタ１の底部４に設けた排水用長孔８を経てゴミ受けカゴＢを通るとともに、菊割れ舌片５（図４参照）上に排水と共に溶解した薬剤Ｐ’’の一部が滞留する。そのため、ゴミ受けカゴＢのヌメリを除去できるとともに、このゴミ受けカゴＢの上部に設けられる菊割れフタ１のヌメリも除去できる。また、ゴミ受けカゴＢと菊割れフタ１の殺菌も行える。
【００２７】
図７〜図９は、流しの排水口の上部に直接設けられ、流しの排水の排水流路を有し、生ゴミや下水からの異臭を消す消臭用、芳香用あるいはヌメリ除去用の薬剤を裏側に設けてあるこの発明の第３の実施形態を示す。なお、図７〜図９において、図１〜図６に示す符号と同一のものは同一または相当物である。
【００２８】
図７〜図９において、蓋３０は、環状板体３１と、平板状で、平面視円形の把手３２と、容器体３３と、環状板体３１平板状の把手３２を連結する複数の湾曲した板状の立上り面部３８を備えており、流しの排水口２の上部２ａに直接設けられる。蓋３０は樹脂製である。
【００２９】
前記環状板体３１は、平坦な環状の上面部３４を有し、この上面部３４の外周側から垂下した垂下面部３５を有し、前記上面部３４の内周側から内側に傾斜した傾斜面部３６を有し、更に、この傾斜面部３６の内周縁ｉによって形成される平面視円形の開口３７を有する。開口３７は、平面視において把手３２よりも大きく形成されている。
【００３０】
前記複数の立上り面部３８は、傾斜面部３６の前記内周縁ｉの複数領域Ａ，Ｂから上方へ、かつ、前記上面部３４と略面一な高さになるまで連設されている。
【００３１】
前記把手３２は、平面視円形で、前記複数の立上り面部３８を介して前記開口３７の直上に排水流路ｊの排水空間Ｓを形成するよう、前記上面部３４と略面一な状態で位置する。
【００３２】
前記容器体３３は、有底筒状で、上方開口３３ａを有し、平面視において把手３２よりも小さく形成されている。更に、容器体３３は、前記把手３２の開口側の裏面３２ａの中央部に着脱自在に上方開口３３ａを塞ぐよう装着され、前記把手３２とで消臭用、芳香用あるいはヌメリ除去用の薬剤Ｑの収容空間Ｇを形成する。この実施形態では、一つの薬剤Ｑが収容空間Ｇに収容されており、その薬剤Ｑとして、生ゴミや下水からの異臭を消す消臭作用と殺菌作用を有する薬剤またはヌメリ除去作用および／または殺菌作用を有するヌメリ除去用の薬剤が用いられる。この発明では、芳香用の薬剤だけを単独で収容空間Ｇに収容されることはなく、収容空間Ｇに二つ以上の薬剤を収容するときに消臭作用と殺菌作用を有する薬剤またはヌメリ除去作用および／または殺菌作用を有するヌメリ除去用の薬剤と組み合わせて芳香用の薬剤が収容されるものである。
【００３３】
前記把手３２は、前記収容空間Ｇに流しの排水を流入させるための複数の流入孔４０を中央部に有する一方、前記容器体３３は、前記流入孔４０を通って前記収容空間Ｇに流入した流しの排水が前記収容空間Ｇから流出するための流出孔４１を有する。そして、流入孔４０と収容空間Ｇと流出孔４１とで流しの排水の排水流路ｊが形成される。
【００３４】
なお、容器体３３を平面視において把手３２よりも小さく形成したのは、排水流路ｊの水はけを良好にするためである。
【００３５】
容器体３３を把手３２に着脱自在に装着できる手段について説明する。
【００３６】
容器体３３は、上端に内向きの爪が全周にわたり連続的に形成された環状の爪部４５を有する。
【００３７】
一方、把手３２は、把手３２の中央部に形成した複数の流入孔４０を囲むように、開口側の前記裏面３２ａに、外向きの爪が全周にわたり形成された環状の爪体５０を有する。この爪体５０は、平面視円形で、容器体３３が図７に示すように被さる程度の外径を有する。爪体５０は、縦方向に等間隔に形成された複数のスリット５１と、スリット５１，５１同士で仕切られた複数の爪部５２を円周方向に連続的に有する。そして、各爪部５２は、前記爪部４５に係止可能に形成されている。スリット５１で爪部５２を仕切ったのは、爪部５２が弾性的に変形することで爪部５２，爪部４５同士を係合し易くするためであるとともに、爪部５２，爪部４５同士が強固に係止して爪体５０に確実に容器体３３を装着できるからである。
【００３８】
また、容器体３３は、胴３３ｃに指が引っ掛かる程度の大きさの一対の凹み８０を有する。これは、容器体３３を持ち易くするためで、これにより、容器体３３内から薬剤Ｑが落下することなく把手３２の開口側の前記裏面３２ａに容器体３３を確実に装着できる。
【００３９】
而して、蓋３０を流しの排水口２の上部２ａに直接設ける前に、薬剤Ｑとして、例えば生ゴミや下水からの異臭を消す消臭作用と殺菌作用を有する薬剤が収容された容器体３３を把手３２の開口側の前記裏面３２ａに装着する。
【００４０】
この状態で、蓋３０を流しの排水口２の上部２ａに設ける。そして、流しの排水は、流入孔４０から収容空間Ｇを経て流出孔４１から排水されるときに消臭作用と殺菌作用を有する薬剤Ｑが溶解し、排水と共に溶解した薬剤Ｑがゴミ受けカゴＢを通り、排水口２から配管を介して下水に流れることから、ゴミ受けカゴＢに付着している生ゴミ、あるいは、下水からの異臭を消すことができる。また、ゴミ受けカゴＢと菊割れフタ１の殺菌も行える。
【００４１】
また、薬剤Ｑとして、ヌメリ除去作用および／または殺菌作用を有するヌメリ除去用の薬剤を用いた場合は、流しの排水は、流入孔４０から収容空間Ｇを経て流出孔４１から排水されるときにヌメリ除去作用および／または殺菌作用を有する薬剤Ｑが溶解し、排水と共に溶解した薬剤Ｑがゴミ受けカゴＢを通り、排水口２から配管を介して下水に流れることから、ゴミ受けカゴＢに付着しているヌメリを除去できる。また、ゴミ受けカゴＢの殺菌も行える。
【００４２】
【発明の効果】
以上説明したようにこの発明では、消臭用、ヌメリ除去用あるいは芳香用の薬剤を裏側に設けた新規な蓋を提供することができる。
【図面の簡単な説明】
【図１】この発明の第１の実施形態を示す要部斜視図である。
【図２】上記実施形態を示す分解斜視図である。
【図３】上記実施形態を示す構成説明図である。
【図４】上記実施形態における使用状態を示す全体構成説明図である。
【図５】この発明の第２の実施形態を示す要部斜視図である。
【図６】上記第２の実施形態を示す分解斜視図である。
【図７】この発明の第３の実施形態における使用状態を示す全体構成説明図である。
【図８】上記第３の実施形態を示す分解斜視図である。
【図９】上記第３の実施形態を示す分解構成説明図である。
【符号の説明】
２…流しの排水口、２ａ…流しの排水口の上部、３０…蓋、ｊ…排水流路、Ｑ…消臭用、芳香用あるいはヌメリ除去用の薬剤。
【図１】
2004052292.tif 000003
【図２】
2004052292.tif 000004
【図３】
2004052292.tif 000005
【図４】
2004052292.tif 000006
【図５】
2004052292.tif 000007
【図６】
2004052292.tif 000008
【図７】
2004052292.tif 000009
【図８】
2004052292.tif 000010
【図９】
2004052292.tif 000011